(57)【要約】【課題】ボールペンチップの美観を向上させつつその耐久性も損なわないような処置を施したインクリフィルを提供する。【解決手段】インク41を収容するインク収容管40と、このインク収容管40の先端に装着されるボールペンチップ20と、を備えるインクリフィル10であって、前記ボールペンチップ20の表面は酸化発色処理されている。【選択図】図１
2015063067.tif 000002
【特許請求の範囲】
【請求項１】
インクを収容するインク収容管と、
前記インク収容管の先端に装着されるボールペンチップと、
を備えるインクリフィルであって、
前記ボールペンチップの表面は酸化発色処理されていることを特徴とするインクリフィル。
【請求項２】
前記インク収容管と前記ボールペンチップとの間に介在する継手を備えるとともに、
前記継手は、円柱状の本体部と、この本体部の先端側であって外周がこの本体部より小径に形成されている先端部と、この本体部の後端側であって外周がこの本体部より小径に形成されている後端部と、により構成されているとともに、
前記後端部は、前記インク収容管の先端に圧入され、
前記先端部には、前記ボールペンチップの後端部分が圧入され、
前記ボールペンチップの酸化発色処理された発色層は、この継手の先端部分から突出していることを特徴とする請求項１記載のインクリフィル。
【請求項３】
請求項１又は２記載のインクリフィルが装着されていることを特徴とする筆記具。
【発明の詳細な説明】
【技術分野】
【０００１】
本発明は、ボールペンチップの表面の一部を着色したボールペンチップを装着したインクリフィル及びこのインクリフィルを収容した筆記具に関する。
【背景技術】
【０００２】
従来、ボールペンチップにおいて筆記ボールを抱持するホルダーはステンレス鋼等の金属製が主流である。このような金属製のボールペンチップは、当然材質に起因する金属色を呈するものである。
このような金属色を呈するボールペンチップを、たとえば使用されるインク色を想起させるように着色したいという設計上の要望はしばしば寄せられるものである。その要望に応える方法としては、たとえば、ボールペンチップの表面に塗料を用いて塗装することが考えられる。
一方、たとえば下記特許文献１記載の発明のように、塗装によらず、ボールペンチップの先端付近に着色した装飾体を設けるという技術も提供されている。すなわち、同文献記載の発明では、ボールペンチップの外周に、リング状ないし円錐状の合成樹脂製の装飾体を装着し、たとえばこれをインクと同色としたりすることで、インク色の識別を容易にすることとしている。
【先行技術文献】
【特許文献】
【０００３】
【特許文献１】特開２００２−３２６４８７号公報
【発明の概要】
【発明が解決しようとする課題】
【０００４】
上記従来技術における、ボールペンチップの塗装は、使用に伴う接触によって剥落しやすいものである。特に、複数色のインクリフィルが装着される多色ボールペンでは、インクリフィルの切り替えが頻繁であるため、ボールペンチップ同士の接触も起こりやすく、それによる塗装の剥落の可能性がより高くなっている。
また、ボールペンチップに装着される合成樹脂製の装飾体の場合も、ボールペンチップ本体の材質である金属に比べ剛性に乏しいため、使用に伴う接触によって摩耗及び破損しやすいものである。特に、複数色のインクリフィルが装着される多色ボールペンでは、インクリフィルの切り替えが頻繁であるため、インクリフィルの繰り出しの際にボールペンチップと軸との接触も起こりやすく、それによる装飾体の摩耗及び破損の可能性がより高くなっている。また、使用環境によっては、経時的な劣化を被る可能性が高くなる。
上記の問題点に鑑み、本発明は、ボールペンチップの美観を向上させつつその耐久性も損なわないような処置を施したインクリフィル及びこれを使用した筆記具の提供を課題とする。
【課題を解決するための手段】
【０００５】
上記の課題に鑑み、本発明は、
インク41を収容するインク収容管40と、
前記インク収容管40の先端に装着されるボールペンチップ20であって、
前記ボールペンチップ20の表面に酸化発色処理を施した発色層29を有することを特徴とする。
本発明における「先端」とは、本発明に係るインクリフィル10が装着される筆記具70において、筆記先端の位置する側、「先端方向」とは、筆記先端の位置する側へ向かう方向をいう。また「後端」とは、その反対側、「後端方向」とは、反対方向をいう。
【０００６】
本発明に係るインクリフィル10では、ボールペンチップ20はインク収容管40の先端に直接、あるいは介在する部材（継手30）を介して装着される。そして、ボールペンチップ20のうち、装着によりインク収容管40（あるいは継手30）に挿入される部分以外が、「露出している部分」となる。この露出している部分の一部が、酸化発色処理により着色されることとなっている。なお、ここでいう先端側の部分及び後端側の部分というのは、上記露出している部分において任意の箇所に境界を設定し、それより先端側か後端側かで区分したものであり、その割合は特に限定されず任意である。ただし、強度及び装飾性に鑑みれば、上記露出している部分の半分以上を酸化発色処理で着色される部分とすることが望ましい。
ここでいう酸化発色処理とは、通常のステンレス鋼表面に形成される酸化皮膜の皮膜厚さを、数十倍から数百倍に厚くして干渉色を作り出す処理をいう。皮膜厚さは、発色処理前で１０ｎｍ〜３００ｎｍとすることが望ましい。
このボールペンチップ20はステンレス鋼製であるとともに、その表面は酸化発色処理され、発色層29が形成されている。よって、ステンレス鋼自体による耐久性に加え、酸化発色処理による表面の耐久性の強化と、美感の向上とが図られることとなっている。なお、このボールペンチップ20は、特にＳＵＳ３１６、ＳＵＳ３０４等のオーステナイト系ステンレスが、酸化発色処理による発色層29の形成の容易さという点で望ましい。
なお、このボールペンチップ20の形状は、ボールペンチップ20の酸化発色処理が可能なものであれば特に限定はない。
【０００７】
また、本発明に係るボールペンチップ20においては、酸化発色処理により、インク色に応じた着色が容易となるため、特に多色ボールペンのように、複数色のインクリフィル10を使用する場合、ボールペンチップ20の着色層29によって、インク色を判別させることも可能となる。また、単色ボールペンでインクリフィル10が外観から視認できないような場合であっても同様に、ボールペンチップ20の酸化発色処理による着色層29によって、インク色を判別させることが可能となる。また、酸化発色処理は濃淡差をつけることも可能なため、濃淡の異なる同色系のインクでも異なる発色をしたボールペンチップ20を収容したインクリフィル10を提供することもできる。
【０００８】
本発明に係るインクリフィル10におけるボールペンチップ20は、上記形状の継手30を介してインク収容管40に装着してもよい。
【０００９】
そして、本発明に係るインクリフィル10は、筆記具70に装着されるものである。ここで筆記具70とは、単色ボールペン及び多色ボールペンのいずれでもよい。また、単色又は多色のインクリフィル10と、ボールペン以外の筆記具ユニット、たとえばシャープペンシルユニットを同一の軸筒71内に収容したいわゆる複式筆記具も、ここでいう筆記具70に含まれるものである。
【発明の効果】
【００１０】
上記の構造を備えることにより、本発明によれば、ボールペンチップの美観を向上させつつ、手指や軸筒内面との摩擦による塗装剥がれ等の耐久性も損なわないような処置を施したボールペンチップ及びこれを使用したインクリフィルや筆記具の提供が可能となる。
【図面の簡単な説明】
【００１１】
【図１】本発明の実施の形態に係るインクリフィルの先端部材の外観を、正面図（Ａ）及び正面断面図（Ｂ）で示す。
【図２】本発明の実施の形態に係るインクリフィルの先端部材の、インク収容管への装着直前の状態を正面断面図で示す。
【図３】図２に示すインクリフィルの先端部材の変形例を正面断面図で示す。
【図４】図２に示すインクリフィルの先端部材の変形例を正面断面図で示す。
【図５】本発明の実施の形態に係るインクリフィルを正面図（Ａ）及び正面断面図（Ｂ）で示す。
【図６】本発明の実施の形態に係る筆記具を右側面断面図（Ａ）及び正面断面図（Ｂ、Ｃ）で示す。
【発明を実施するための形態】
【００１２】
本発明の実施の形態を、図面を参照しつつ説明する。
本発明の実施の形態に係るインクリフィル10の先端部材は、図１に示すように、継手30と、その先端に装着されるボールペンチップ20（図１（Ｂ）参照）と、ボールペンチップ20により構成される。
【００１３】
ポリブチレンテレフタレート（ＰＢＴ樹脂）製の射出成形により形成される継手30は、略円柱状で全体のほぼ中間に位置する本体部31（図１（Ａ）、（Ｂ））と、この本体部31の先端側に位置し、外周が小径に形成されている先端部32（図１（Ａ）、（Ｂ））と、先端部32より先端側に位置し、テーパー状に先細に縮径した縮径部37（図１（Ａ）、（Ｂ））と、この本体部31の後端側に位置し、外周が小径に形成されている後端部33（図１（Ａ）、（Ｂ））とにより構成される。
【００１４】
ボールペンチップ20は、ステンレス鋼製の略円柱状のホルダー21と、このホルダー21の先端部分に抱持される超硬合金製の筆記ボール28とにより構成される。このホルダー21の外周先端側は、先細のテーパー部22として形成されている。このテーパー部22の先端側の内部空間は、筆記ボール28が挿入されるボールハウス23として形成されている。一方、このホルダー21の後端から、ボールハウス23の近傍までの内部空間はバック孔24として形成されている。さらに、ボールハウス23とバック孔24とを連結するインク導孔25、そしてこのインク導孔25周囲に放射状に形成されるチャンネル溝26もホルダー21には形成されている。そして、テーパー部22の先端縁は、内方に縮径されたカシメ部27として形成され、これによりボールハウス23に挿入された筆記ボール28の脱落を防止している。
ボールペンチップ20の後端部分は、継手30の先端部32の内部へ圧入され、これに伴い、先端部分が継手30の先端から突出して露出した部分となっている。
【００１５】
ボールペンチップ20の表面は、使用するインク41の色に対応した酸化発色処理が施され、発色層29が形成されている。これにより、ボールペンチップ20のうち、テーパー部22を含む先端方向の部分と発色層29が継手30の先端から露出することとなっている（図１（Ａ））。
なお、発色層29はホルダー21の切削、塑性加工等より前に酸化発色処理を行うことが望ましい。また、切削、塑性加工等より後に発色層29を形成する際は、レーザーマーキングにより発色層29を形成することができる。
また、発色層29はテーパー部22を含めてもよいし、テーパー部22のみに発色層29を形成してもよい。さらにホルダー21の表面全体に発色層29を形成してもよいし、筆記ボール28をステンレス鋼製とした場合、筆記ボール28の表面を含めたボールペンチップ20全体に発色層29を形成してもよい。
【００１６】
さらに、継手30の後端からは、図２に示すように、先端側が棒状部分61となっていて、後端側がコイル部分62となっているスプリング60が挿入される。この棒状部分61の先端は、筆記ボール28の後端に当接している。また、スプリング60の後端は、継手30の後端部33を外周からポンチ加工することで内方に突出させた係止突起34により係止されている。このスプリング60は、筆記ボール28を常に先端方向へ付勢することで、筆記具70を使用していない状態でインク41が先端から漏出するのを防止する目的で設けられている。
【００１７】
なお、このスプリング60の後端は、図３の変形例に示すように、スプリング60の挿入後に継手30の後端から挿入される係止部材35によって係止されることとしてもよい。
【００１８】
また、図４の変形例に示すように、スプリング60の挿入後に継手30の後端を内方にかしめることで後端カシメ部36を形成し、これによってこのスプリング60の後端を係止することとしてもよい。
【００１９】
図２に示す継手30の後端部33は、図５（Ａ）に示すように、インク収容管40の先端に圧入され、インクリフィル10となる。インク収容管40には、ボールペンチップ20表面の色彩と対応する色彩のインク41が充填される。さらに、インク41の漏出防止や乾燥防止目的で、グリース状の追従体42も充填される（図５（Ｂ））。
【００２０】
図５に示すインクリフィル10は、図６に示す複式筆記具70に装着される。すなわち、この複式筆記具70の外形を構成する軸筒71の中には、３本のインクリフィル10（図６（Ｂ）、（Ｃ））が収容されている。３本のインクリフィル10は、２本がボールペンノック機構73と接続されている（図６（Ｂ））。また、残りの１本は、クリップ付ボールペンノック機構74に接続されている（図６（Ａ））。クリップ付ボールペンノック機構74には、クリップ75が装着されている（図６（Ａ））。なお、複式筆記具70内に収容されるインクリフィルの本数は、２本以上の複数であることが望ましい。
本実施の形態に係る複式筆記具70では、図６（Ｂ）に示す状態では、軸筒71の先端からはいずれの筆記先端も突出していない。この状態から、ボールペンノック機構73のうちの一方を先端方向へ押圧すると、図６（Ｃ）に示すように、対応するボールペンリフィルのボールペンチップ20が、軸筒71の先端から突出することになる。このとき、軸筒71の先端から突出しているこのボールペンチップ20に形成された着色層29の色彩により、使用者は使用しているインク41の色を認識することが可能となっている。
【産業上の利用可能性】
【００２１】
本発明は、ボールペンのインクリフィルに使用可能である。特に、２色以上の複数のインクを使用することが想定される複式筆記具に適している。
【符号の説明】
【００２２】
10  インクリフィル
20  ボールペンチップ      21  ホルダー              22  テーパー部
23  ボールハウス          24  バック孔              25  インク導孔
26  チャンネル溝          27  カシメ部              28  筆記ボール
29  発色層
30  継手                  31  本体部                32  先端部
33  後端部                34  係止突起              35  係止部材
36  後端カシメ部          37  縮径部
40  インク収容管          41  インク                42  追従体
60  スプリング            61  棒状部分              62  コイル部分
70  筆記具（複式筆記具）  71  軸筒
73  ボールペンノック機構  74  クリップ付ボールペンノック機構  75  クリップ
【図１】
2015063067.tif 000003
【図２】
2015063067.tif 000004
【図３】
2015063067.tif 000005
【図４】
2015063067.tif 000006
【図５】
2015063067.tif 000007
【図６】
2015063067.tif 000008